(57)【要約】【課題】心臓の電気活動および動的機械的活動の両方を監視して、心筋虚血の発生をより信頼性の高い方法で検出し確認する、心筋虚血を検出し処置する技法およびシステム（１０）を提供する。【解決手段】心筋虚血の発生は、ＥＣＧまたはＥＧＭなどの電気信号の変化、心臓の動的機械的活動の変化を監視することによって検出される。動的機械的活動は、たとえば、心臓加速度信号または圧力信号によって表される。電気信号は、一組の埋め込まれた電極または外部電極（１６、１８、２０；２２、２４、２６）から得られる。心臓加速度信号は、心臓内または心臓の近くに配置された単一軸または複数軸の加速度計（８８、１０８）および／または圧力センサから取得されることができる。技法は、加速度計または圧力センサによって検出された収縮性の変化を電極（１６、１８、２０；２２、２４、２６）によって検出されたＳＴ電位図部分の変化と関係付けて、虚血検出の信頼性を上げる。【選択図】図１
2005501618.tif 000002
【特許請求の範囲】
【請求項１】
心臓の動的機械的活動を示す第１信号を取得すること、
心臓の電気活動を示す第２信号を取得すること、および、
前記第１信号および前記第２信号の両方に基づいて、心筋虚血状態を検出すること、
を特徴とする心筋虚血を検出する方法。
【請求項２】
前記第１信号および前記第２信号が共に、虚血の指示に対する基準を満たす時に心筋虚血を検出することをさらに含む請求項１に記載の心筋虚血を検出する方法。
【請求項３】
前記基準は、第１しきい値と第１の所定の関係を有する前記第１信号の変化、および第２しきい値と第２の所定の関係を有する前記第２信号の変化を含む請求項２に記載の心筋虚血を検出する方法。
【請求項４】
前記第１の所定の関係は、前記第１しきい値以下に降下するという前記第１信号の減少であり、前記第２の所定の関係は、前記第２しきい値を超えるという前記第２信号の増加である請求項３に記載の心筋虚血を検出する方法。
【請求項５】
心筋虚血が検出されると、心臓内での前記虚血の作用を軽減する治療送出用の信号を生成することをさらに含む請求項１に記載の心筋虚血を検出する方法。
【請求項６】
心筋虚血が検出されると、医師が再調査するための、前記心筋虚血についての情報を記憶することをさらに含む請求項１に記載の心筋虚血を検出する方法。
【請求項７】
心筋虚血が検出されると、患者に通知することをさらに含む請求項１に記載の心筋虚血を検出する方法。
【請求項８】
心筋虚血が検出されると、心臓内での前記虚血の作用を軽減する治療を送出することをさらに含む請求項１に記載の心筋虚血を検出する方法。
【請求項９】
心筋虚血が検出されると、薬剤送出、電気刺激、継続中の電気刺激の変更、ならびに薬剤送出および電気刺激の組み合わせのうちの少なくとも１つを含む、患者に治療を送出することをさらに含む請求項１に記載の心筋虚血を検出する方法。
【請求項１０】
前記第１信号を取得することは、心臓内に配置された加速度計からの心臓加速度信号を取得することを含む請求項１に記載の心筋虚血を検出する方法。
【請求項１１】
前記第１信号を取得することは、心臓に配置された埋め込み式リード線の先端に一体化された、加速度計からの心臓加速度信号を取得することを含む請求項１に記載の心筋虚血を検出する方法。
【請求項１２】
前記リード線は、患者に電気刺激を送出するための、埋め込み式医療デバイスに結合した治療リード線である請求項１１に記載の心筋虚血を検出する方法。
【請求項１３】
前記リード線は、診断データを収集するための、埋め込み式医療デバイスに結合した診断リード線である請求項１１に記載の心筋虚血を検出する方法。
【請求項１４】
前記第１信号を取得することは、心臓内に配置された圧力変換器から圧力信号を取得することを含む請求項１に記載の心筋虚血を検出する方法。
【請求項１５】
心臓に埋め込まれた一組の内部リード線から前記第２信号を取得することをさらに含む請求項１に記載の心筋虚血を検出する方法。
【請求項１６】
皮下電極アレイから、前記第２信号を取得することをさらに含む請求項１に記載の心筋虚血を検出する方法。
【請求項１７】
患者の体表面と接触する一組の外部リード線から、前記第２信号を取得することをさらに含む請求項１に記載の心筋虚血を検出する方法。
【請求項１８】
前記第１信号と関連する第１パラメータの変化を第１しきい値と比較すること、
前記第２信号と関連する第２パラメータの変化を第２しきい値と比較すること、および、
前記第１パラメータの変化が前記第１しきい値を越え、かつ、前記第２パラメータの変化が前記第２しきい値を越えたときに、心筋虚血を示すことをさらに含む請求項１に記載の心筋虚血を検出する方法。
【請求項１９】
前記第１信号パラメータは、前記第１信号の振幅を表す請求項１８に記載の心筋虚血を検出する方法。
【請求項２０】
前記第１信号パラメータは、Ｒ波に近接する時間枠中での前記第１信号の積分値を表す請求項１８に記載の心筋虚血を検出する方法。
【請求項２１】
前記第２信号は心電図および電位図のうちの１つであり、前記第２信号パラメータは、前記電気信号の等電位点レベルに対して測定された前記電気信号のＳＴ部分の振幅である請求項１８に記載の心筋虚血を検出する方法。
【請求項２２】
前記第１信号パラメータが、第１レベルから第１の量だけ変わり、かつ、前記第２信号パラメータが、第２レベルから第２の量だけ変わったとき、心筋虚血を示すことをさらに含む請求項２１に記載の心筋虚血を検出する方法。
【請求項２３】
前記第１信号および前記第２信号の両方に基づいてパラメータを生成すること、および、
該パラメータとしきい値との比較に基づいて心筋虚血を検出すること、
をさらに含む請求項１に記載の心筋虚血を検出する方法。
【請求項２４】
前記第１信号および前記第２信号に基づいて、虚血の程度を定量化することをさらに含む請求項１に記載の心筋虚血を検出する方法。
【請求項２５】
前記第１信号および前記第２信号に基づいて、虚血組織の場所を確定することをさらに含む請求項１に記載の心筋虚血を検出する方法。
【請求項２６】
前記第１信号は、複数の第１信号であって、該第１信号のそれぞれは複数の軸の１つに沿った心臓の動的機械的活動を示す、前記複数の第１信号を含み、
前記複数の第１信号に基づいて、虚血組織の場所を確定することをさらに含む請求項１に記載の心筋虚血を検出する方法。
【請求項２７】
前記第２信号は、複数の第２信号であって、該第２信号のそれぞれは複数の軸の１つに沿った心臓の電気活動を示す、前記複数の第２信号を含み、
前記複数の第１信号および前記複数の第２信号に基づいて虚血組織の場所を確定することをさらに含む請求項２６に記載の心筋虚血を検出する方法。
【請求項２８】
心臓の動的機械的活動を示す第１信号を取得する第１センサと、
心臓の電気活動を示す第２信号を取得する第２センサと、
前記第１信号および前記第２信号の両方に基づいて、心筋虚血を検出するプロセッサと、
を備える心筋虚血を検出するシステム。
【請求項２９】
前記プロセッサは、前記第１信号および前記第２信号が共に、虚血の指示に対する基準を満たすときに、心筋虚血を検出する請求項２８に記載の心筋虚血を検出するシステム。
【請求項３０】
前記基準は、第１しきい値と第１の所定の関係を有する前記第１信号の変化、および第２しきい値と第２の所定の関係を有する前記第２信号の変化を含む請求項２８に記載の心筋虚血を検出するシステム。
【請求項３１】
前記第１の所定の関係は、前記第１しきい値以下に降下するという前記第１信号の減少であり、前記第２の所定の関係は、前記第２しきい値を超えるという前記第２信号の増加である請求項３０に記載の心筋虚血を検出するシステム。
【請求項３２】
前記プロセッサは、心筋虚血が検出されると、心臓内での前記虚血の作用を軽減するように治療送出用の信号を生成する請求項２８に記載の心筋虚血を検出するシステム。
【請求項３３】
前記プロセッサは、心筋虚血が検出されると、医師が再調査するための、前記心筋虚血についての情報を記憶する請求項２８に記載の心筋虚血を検出するシステム。
【請求項３４】
前記プロセッサは、心筋虚血が検出されると患者に通知する請求項２８に記載の心筋虚血を検出するシステム。
【請求項３５】
前記プロセッサは、心筋虚血が検出されると、心臓内での前記虚血の作用を軽減する治療の送出を制御する請求項２８に記載の心筋虚血を検出するシステム。
【請求項３６】
前記治療は、薬剤送出、電気刺激、ならびに薬剤送出および電気刺激の組み合わせのうちの少なくとも１つを含む請求項３５に記載の心筋虚血を検出するシステム。
【請求項３７】
前記第１センサは、埋め込み可能リード線内に一体化した少なくとも１つの加速度計を含む請求項２８に記載の心筋虚血を検出するシステム。
【請求項３８】
前記リード線は、心臓に電気刺激を送出するための、埋め込み可能医療デバイスに結合された治療リード線である請求項２８に記載の心筋虚血を検出するシステム。
【請求項３９】
前記リード線は、診断データを収集するための、埋め込み可能医療デバイスに結合した診断リード線である請求項３８に記載の心筋虚血を検出するシステム。
【請求項４０】
前記第１センサは、埋め込み可能リード線内に一体化された圧力変換器を含む請求項２８に記載の心筋虚血を検出するシステム。
【請求項４１】
前記第２センサは、ＥＣＧ、ＥＧＭ、またはＳＥＡ信号を収集するようになっている電極を含む請求項２８に記載の心筋虚血を検出するシステム。
【請求項４２】
前記電極のうちの少なくともいくつかは、埋め込み可能リード線によって保持される請求項４１に記載の心筋虚血を検出するシステム。
【請求項４３】
前記電極は、人間の体の表面に対して外部で用いるように構成されている請求項４１に記載の心筋虚血を検出するシステム。
【請求項４４】
前記プロセッサは、前記第１信号と関連する第１パラメータの変化を第１しきい値と比較し、前記第２信号と関連する第２パラメータの変化を第２しきい値と比較し、前記第１パラメータの変化が前記第１しきい値を越え、かつ、前記第２パラメータの変化が前記第２しきい値を越えたときに、心筋虚血を指示するようにプログラムされる請求項２８に記載の心筋虚血を検出するシステム。
【請求項４５】
前記第１パラメータは、前記第１信号の振幅を表す請求項４４に記載の心筋虚血を検出するシステム。
【請求項４６】
前記第１信号パラメータは、Ｒ波に近接する時間枠中での前記第１信号の積分値を表す請求項４４に記載の心筋虚血を検出するシステム。
【請求項４７】
前記第２信号は心電図および電位図のうちの１つであり、前記第２信号パラメータは、前記電気信号のＳＴ部分の振幅である請求項４４に記載の心筋虚血を検出するシステム。
【請求項４８】
前記プロセッサは、前記第１信号パラメータが、第１レベルから第１の量だけ変わり、かつ、前記第２信号パラメータが、第２レベルから第２の量だけ変わったとき、心筋虚血を示す請求項４７に記載の心筋虚血を検出するシステム。
【請求項４９】
前記プロセッサは、前記第１信号および前記第２信号の両方に基づいてパラメータを生成し、該パラメータとしきい値との比較に基づいて心筋虚血を検出する請求項２８に記載の心筋虚血を検出するシステム。
【請求項５０】
前記プロセッサは、前記第１信号および前記第２信号に基づいて、虚血の程度を定量化する請求項２８に記載の心筋虚血を検出するシステム。
【請求項５１】
前記プロセッサは、前記第１信号および前記第２信号に基づいて、虚血組織の場所を確定する請求項２８に記載の心筋虚血を検出するシステム。
【請求項５２】
前記第１信号は、複数の第１信号であって、該第１信号のそれぞれは複数の軸の１つに沿った心臓の動的機械的活動を示す、前記複数の第１信号を含み、
前記プロセッサは、前記複数の第１信号に基づいて虚血組織の場所を確定する請求項２８に記載の心筋虚血を検出するシステム。
【請求項５３】
前記第２信号は、複数の第２信号であって、該第２信号のそれぞれは複数の軸の１つに沿った心臓の電気活動を示す、前記複数の第２信号を含み、
前記プロセッサは、前記複数の第１信号および前記複数の第２信号に基づいて虚血組織の場所を確定する請求項５２に記載の心筋虚血を検出するシステム。
【請求項５４】
虚血の検出によるメッセージを無線送信するためのテレメトリデバイスをさらに備える請求項２８に記載の心筋虚血を検出するシステム。
【請求項５５】
前記第１センサは複数軸加速度計を含み、前記第１信号は、複数の心臓加速度信号であって、該心臓加速度信号のそれぞれは、複数の軸の１つに沿った収縮加速度を示す、前記複数の心臓加速度信号を含み、
前記プロセッサは、前記心臓加速度信号に基づいて虚血組織の場所を確定する請求項２８に記載の心筋虚血を検出するシステム。
【請求項５６】
心臓の収縮活動を示す第１信号を取得すること、
心臓の電気活動を示す第２信号を取得すること、および、
前記第１信号および前記第２信号の両方に基づいて心筋虚血を検出すること、
を含む心筋虚血を検出する方法。
【請求項５７】
心筋虚血が示されると、心臓内での前記虚血の作用を軽減する治療を送出することをさらに含む請求項５６に記載の心筋虚血を検出する方法。
【請求項５８】
前記治療は、電気刺激および薬剤送出のうちの少なくとも１つを含む請求項５６に記載の心筋虚血を検出する方法。
【請求項５９】
前記第１信号を取得することは、埋め込み式加速度計からの心臓加速度信号を取得することを含む請求項５６に記載の心筋虚血を検出する方法。
【請求項６０】
心臓に埋め込まれたリード線の先端に取り付けられた加速度計からの前記加速度信号を取得することをさらに含む請求項５９に記載の心筋虚血を検出する方法。
【請求項６１】
心臓の収縮活動を示す第１信号を生成する手段と、
心臓の電気活動を示す第２信号を取得する手段と、
前記第１信号および前記第２信号の両方に基づいて心筋虚血を検出する手段と、
を備えたことを特徴とする心筋虚血を検出するシステム。
【請求項６２】
心筋虚血が指示されると、心臓内での前記虚血の作用を軽減するように治療送出を制御する手段をさらに備える請求項６１に記載の心筋虚血を検出するシステム。
【請求項６３】
前記治療は、薬剤送出、電気刺激、ならびに薬剤送出および電気刺激の組み合わせのうちの少なくとも１つを含む請求項６１に記載の心筋虚血を検出するシステム。
【請求項６４】
前記第１信号を生成する前記手段は埋め込み式加速度計を含み、前記第１信号は心臓加速度信号である請求項６１に記載の心筋虚血を検出するシステム。
【請求項６５】
前記加速度計は、心臓に埋め込み可能なリード線の先端に結合している請求項６４に記載の心筋虚血を検出するシステム。
【請求項６６】
コンピュータ読み取り可能媒体であって、
心臓の動的機械的活動を示す第１信号を取得するステップと、
心臓の電気活動を示す第２信号を取得するステップと、
前記第１信号および前記第２信号の両方に基づいて心筋虚血を検出するステップと、
をプロセッサに実行させる命令を含むコンピュータ読み取り可能媒体。
【請求項６７】
コンピュータ読み取り可能媒体であって、
心臓の収縮活動を示す第１信号を所得すること、
心臓の電気活動を示す第２信号を取得すること、および、
前記第１信号および前記第２信号の両方に基づいて心筋虚血を検出すること、
をプロセッサにさせる命令を含むコンピュータ読み取り可能媒体。
【請求項６８】
前記加速度計は、単一軸または複数軸加速度計である請求項１０、１１、３７、５８、５９、または６４に記載の装置、システムまたは方法。
【請求項６９】
前記第１信号を取得することは、心臓内に配置された加速度計からの心臓加速度信号を取得することを含み、前記心臓加速度信号は心内膜ピーク加速度値である請求項１に記載の心筋虚血を検出する方法。
【請求項７０】
コンピュータメモリロケーションに前記心内膜ピーク加速度値を記憶するステップと、
所定の時間間隔後に、少なくとも１つの新しい心内膜ピーク加速度値を取得するステップと、
前記少なくとも１つの新しい心内膜ピーク加速度信号を記憶するステップと、
前記心内膜ピーク加速度値を前記少なくとも１つの新しい心内膜ピーク加速度値と比較するステップと、
をさらに特徴とする請求項６９に記載の心筋虚血を検出する方法。
【発明の詳細な説明】
【技術分野】
【０００１】
本発明は、心臓の健康に関し、より詳細には、心筋虚血を検出する技法に関する。
［関連出願の相互参照］
本特許出願は、２００１年１２月３日に出願された米国仮特許出願第６０／３３７，２５２号および２００１年８月３０日に出願された仮でない(non-provisional)米国特許出願第０９／９４５，１７９号の利益を主張する。上記開示は、両方とも「Ischemia Detection」と題し、一般に、Sheldon他によって考案された。出願人は、これら２つの開示内容を参照によって本明細書に組み込み、本明細書に対する優先権を主張する。
【背景技術】
【０００２】
死亡の主な原因である心筋虚血は心筋の酸素欠乏を伴う。心筋虚血は、処置されないままにすると、心筋梗塞になる可能性がある。心筋虚血の早期検出によって、外科的血管再生、神経刺激、および薬剤送出などの、心臓の作業負荷を減らすか心臓の循環を改善する広範囲の効果的な治療の機会が提供される。残念ながら、心筋虚血のエピソードの多くは、過度の苦痛または他の目立つ警告信号を生ぜず、しばしば、検出されないままになる。
【０００３】
心電図（ＥＣＧ）または電位図（ＥＧＭ）は、患者の周期的な心臓活動を特徴付けるＰＱＲＳＴ波シーケンスを提示する。Ｔ波を用いて虚血状態を特定することができる。たとえば、Ekwall他に対する米国特許第６，０１６，４４３号は、再分極センサおよび患者作業負荷センサを使用して、虚血エピソードを特定する埋め込み可能な虚血検出器を記載している。再分極センサは、Ｔ波の振幅または持続期間を検出して、心拍数の増加を特定するようにする。作業負荷センサは、体動、筋音、流体圧力波または代謝変化を監視することによって運動などの患者の活動を検出する。Ｔ波が心拍数の増加を示し、それに対応する作業負荷の増加がない時、検出器は虚血状態を特定する。
【０００４】
心室の再分極も伴うＳＴ部分は、通常、振幅が、連続したＰＱＲＳＴシーケンスの間で検知された信号のベースライン、すなわち等電点に近い。心筋虚血エピソード中に、ＳＴ部分振幅はベースラインからずれる。したがって、ＳＴ部分の変位をしばしば用いて心筋虚血の発生が特定される。
【０００５】
たとえば、Mathsonに対する米国特許第６，０２１，３５０号は、虚血検出器を有する埋め込み可能心臓刺激器を記載しており、虚血検出器は、ベースラインを越えるＳＴ部分の上昇に基づいて虚血状態を示す。別法として、虚血検出器は、心臓活動または患者作業負荷の測度に頼ってよい。刺激器は、代替の検出モードのいずれかを用いた虚血の検出に基づいて、刺激レートを制御する。
【０００６】
残念ながら、虚血の指標としてＳＴ部分を用いることは信頼性がない可能性がある。ＳＴ部分は、他の因子によりベースラインからずれている場合があり、心筋虚血の誤った指示を生ずる。たとえば、ＳＴ部分は、ＰＱＲＳＴ群を歪ませる、軸のシフト、電気雑音、心臓ペーシング刺激、薬剤、および高い洞レートまたは頻脈レートによっておそらく生じたＰＱＲＳＴ群全体の変化のためにベースラインからずれている場合がある。その結果、心筋虚血の指標としてのＳＴ部分の信頼性が不確かになる可能性がある。
【０００７】
Stadler他に対する米国特許第６，１２８，５２６号は、ＳＴ部分の変動を観察して、虚血状態を特定するようにする虚血検出器を記載している。信頼性を高めるために、検出器は、軸シフト、電気雑音、心臓ペーシング、およびＰＱＲＳＴ群全体の歪みなどの、虚血以外の要素によって生ずるＳＴ部分の変動をフィルタリングして取り除くようにデザインされている。
【０００８】
ＳＴ部分の信頼性を確認しようとすることが、概して、複雑であることがわかってきた。したがって、心筋虚血を自動でかつ確実に検出することができる単純なシステムが引き続き必要とされている。
［発明の概要］
本発明は、心筋虚血のより信頼性の高い検出および処置のための技法を対象とする。特に、本発明は、心臓の電気活動と動的機械的活動とを関係付けて、より信頼性の高い方法で、心筋虚血の発生を検出し確認するようにする。
【０００９】
電気活動はＳＴ部分で表わすことができる。動的機械的活動は、心臓の加速度信号または圧力信号で表わすことができる。心臓の加速度または圧力は、心臓収縮の指示を提供する。用語「収縮性」は、概して、心臓が収縮する能力のことを言い、収縮の程度を示すことができる。心臓の収縮性は通常、虚血エピソード中に減少する。
【００１０】
したがって、本発明は、ＳＴ部分の変化が、対応する心臓の収縮性の変化を伴うかどうかを判断する。心臓の収縮性の変化をＳＴ部分の変化と関係付けることによって、より信頼性の高い虚血の指示が提供され、虚血状態と関連のないＳＴ部分の変化による誤った指示の発生が減る。
【００１１】
ＳＴ部分の変化は、ＥＣＧ、ＥＧＭ、または皮下電極アレイ（ＳＥＡ）から検出することができる。心臓の動的機械的活動の変化は、加速度または圧力変換器から得ることができる。加速度計は、心腔内の心壁加速度を示す加速度信号を生ずる。圧力変換器は、圧力変換器の場所に応じて、右心室、左心室、または動脈の圧力を示す圧力信号を生じる。ＳＴ部分の場合、電気信号は、一組の埋め込み式電極または外部電極から得ることができる。動的心臓活動の場合、加速度信号が心臓内または心臓の近くに配置された加速度計から得ることができる。加速度計は心臓収縮を１つまたは複数の加速度信号に変換する。圧力信号は、心臓または脈管構造内に配置された圧力変換器から得ることができる。別法として、圧力センサは血管のまわりに設置されるであろう。
【００１２】
加速度計は、心腔内に配置されている埋め込み式リード線の遠位先端に配設することができる。圧力変換器は心臓圧力リード線によって実現することができる。信号処理回路を用いて、加速度信号または圧力信号を所定のしきい値などの基準と比較することによって、心筋虚血中の収縮性の低下を検出することができる。
【００１３】
本発明は、リード線先端加速度計または心臓圧力リード線によって生成された信号から導出された収縮性の変化をＳＴ部分の変化と関係付けて、虚血検出の特異性を増加するようにする。特に、電気的検出と共に、リード線先端加速度計または圧力リード線の利用によって、心臓収縮性の変化を伴うＳＴ部分の変化と、心臓収縮性のそれほど変化を伴わないＳＴ部分の変化の区別が可能になる。加速度計または圧力リード線から導出された心臓収縮性の変化は、虚血状態の別の指標を提供し、ＳＴ部分が提供した指標を確認する。
【００１４】
一実施形態において、本発明は、心筋虚血を検出する方法を提供し、方法は、心臓の動的機械的活動を示す第１信号を取得すること、心臓の電気活動を示す第２信号を取得すること、および、上記第１信号および上記第２信号の両方に基づいて心筋虚血を検出することを含む。本発明は、本方法を実行する命令を保持するコンピュータ読み取り可能媒体を提供してもよい。
【００１５】
別の実施形態において、本発明は心筋虚血を検出するシステムを提供し、該システムは、心臓の動的機械的活動を示す第１信号を生成する第１センサと、心臓の電気活動を示す第２信号を取得する第２センサと、上記第１信号および上記第２信号の両方に基づいて心筋虚血を検出するプロセッサとを備える。
【００１６】
さらなる実施形態において、本発明は心筋虚血を検出する方法を提供し、該方法は、心臓の収縮活動を示す第１信号を取得すること、心臓の電気活動を示す第２信号を取得すること、および、上記第１信号および上記第２信号の両方に基づいて心筋虚血を検出することを含む。本発明はまた、本方法を実行する命令を保持するコンピュータ読み取り可能媒体を提供してもよい。
【００１７】
さらなる実施形態において、本発明は、心筋虚血を検出するシステムを提供し、該システムは、心臓の収縮活動を示す第１信号を生成する手段と、心臓の電気活動を示す第２信号を取得する手段と、上記第１信号および上記第２信号の両方に基づいて心筋虚血を検出する手段とを備える。
【００１８】
さらなる実施形態において、心筋虚血の検出は単に、ピーク心内膜加速度（ＰＥＡ）信号に基づいていた。本発明のこの形態において、ＰＥＡは、Ｒ波が検出された後に１００ミリ秒で測定された加速度信号のピーク−ピーク変化として規定されるが、規定は、本発明のこの形態の範囲内で使用されてよい。本発明のこの形態において、ＰＥＡは、ＬＶ ｄｐ／ｄｔ の代わりとして用いられてよく、ペーシングされた調律中での心臓の全体的な収縮性の変化を評価することができる。したがって、ＰＥＡは周期的に測定され、その測定値が比較され、次に、結果として上記全体的な収縮性の変化を提供する。
【００１９】
本発明はいくつかの利点を提供することができる。たとえば、心臓の収縮性の変化をＳＴ部分の変化と関係付けることによって、より信頼性の高い虚血事象の指示が提供される。このような方法で、本発明は、虚血検出の特異性を増すのに役立ち、一般に、軸のシフト、電気雑音、心臓ペーシング刺激、および高い洞レートまたは頻脈レート、あるいは、純粋に電気的な検出技法の有効性を損なうような他の要素による虚血事象の誤った指示が解消される。また、本発明は、機械信号か電気信号のいずれかが虚血を示す時に、虚血の検出を可能にすることで、虚血エピソードに対する感度を改善することができる。
【００２０】
さらに、本発明は、心臓の収縮性の程度およびＳＴ部分の変化の程度に従って、虚血組織の範囲(degree)を定量化するのに役立つ可能性がある。その上、心臓活動の電気的監視および機械的監視の組み合わせは、虚血組織の場所を確定するのに役立つ可能性がある。特に、電気信号および機械信号の両方を複数の軸に沿って監視することができる。電気信号は、異なるリード線のセットから得られる複数の電気信号を含んでよいが、加速度計は、２軸、おそらく３軸に沿って感度があってよい。同様に、複数の加速度計または圧力センサを用いて、複数軸に沿った感度を得ることができる。
【００２１】
本発明の先の要約は、本発明の全ての実施形態を述べることを意図しない。本発明の１つまたは複数の実施形態の詳細は、添付図面と以下の説明で明らかにされる。本発明の他の特徴、目的および利点は、説明および図面ならびに添付の特許請求の範囲から明らかになるであろう。
【発明を実施するための最良の形態】
【００２２】
図１は、心臓３４と連結した埋め込み可能医療デバイス（ＩＭＤ）１０を示す図である。ＩＭＤ１０は、心臓３４の監視および治療の両方のために構成することができる。たとえば、ＩＭＤ１０は、カーディオバージョンまたはディフィブリレーションで用いられるための、心臓３４に電気刺激を送出するパルス発生器を含んでよい。本発明によれば、ＩＭＤ１０は、心臓３４の動的機械的（メカニカル）活動を示す信号および心臓の電気活動を示す電気信号を取得する。
【００２３】
両方の信号、すなわち電気信号と動的機械的活動を示す信号を用いて、ＩＭＤ１０は、心臓３４内の心筋虚血の存在を検出する。両方の信号が虚血状態を表す時、ＩＭＤ１０は虚血エピソードを示す。動的機械的活動を示す信号は電気信号を補強する。
【００２４】
虚血が検出される場合、ＩＭＤ１０は、虚血の作用を解消するために、適切な治療を送出するように構成することができる。治療は、薬剤送出、電気刺激、またはその両方を含んでよい。さらに、ある実施形態によれば、ＩＭＤ１０は、虚血組織の場所および虚血状態の深刻さを確定することができ、処置の選択に役立つ可能性のあるより具体的な情報を提供する。
【００２５】
ＩＭＤ１０は一般に、人の体内、たとえば、上胸部領域または下腹部領域内での皮下埋め込みを可能にするように平坦で薄い。ＩＭＤ１０は、コネクタブロック組み立て品１２を有する密封封止したハウジング１４を含んでもよく、コネクタブロック組み立て品１２は、ハウジング１４内に格納された回路部へ接続するために、１つまたは複数の心臓リード線の近位端を受け取る。図１の例において、コネクタブロック組み立て品１２は、心室心内膜リード線２８を受け取る。
【００２６】
本発明のある実施形態において、心室心内膜リード線２８または他のリード線は、心臓加速度信号を取得するための加速度計、または圧力信号を取得するための圧力変換器を含んでもよい。他の実施形態において、たとえば、Miesel他に対する米国特許第６，０１０，４７７号および第６，０７７，２７７号に記載される埋め込み可能血管カフを用いて、圧力信号を血管の外側から取得することができる。
【００２７】
また、複数の加速度計または圧力センサを用いて、複数軸に沿った感度を得ることができる。たとえば、酸素を心臓の左側に供給する冠状動脈が閉塞した場合、左側リード線から加速度計または圧力センサ指示収縮性の低下が起こるが、必ずしも右心室のリード線から起こるわけではない。このことは、右心室の自由壁上に置かれた、左心室とは機械的に結合していない加速度計リード線、ならびに心室中隔上に置かれたリード線の場合に特にそうである。したがって、感度を高めるには複数のセンサが望ましい。
【００２８】
加速度計は、概して本明細書で説明のために述べられるであろう。心室心内膜リード線２８は、たとえば、電気信号を検知するために備わった双極の２本のワイヤリード線であってよい。加速度計は、リード線２８の遠位先端３０に隣接して組み込まれることができるため、心臓３４内に配置できる。述べられるように、ハウジング１４は、加速度計によって生成された心臓加速度信号、およびＩＭＤ１０によって取得されたＥＣＧまたはＥＧＭなどの電気信号を分析して、心臓３４内の虚血を検出するのに用いるための回路部を収容することができる。
【００２９】
心臓３４内の電気活動の検出を容易にするために、ＩＭＤ１０は、複数のＥＧＭ検知電極１６、１８、２０、２２、２４、２６を含んでよい。ＥＧＭ検知電極１６、１８、２０、２２、２４、２６は、「METHOD FOR ISCHEMIA DETECTION AND APPARATUS USING SAME」と題する、Stadler他に対する米国特許第６，１２８，５２６号（その全ての内容が参照によて本明細書に援用される）にほぼ記載されるように配置されてよい。たとえば、電極１６、１８、２０、２２、２４、２６は、ＩＭＤ１０のハウジング１２の外部と一体化される、複数の検知電極対を形成してよい。
【００３０】
検知電極対を用いて、１つまたは複数の検知軸に沿った電気信号を取得し、１つまたは複数のＥＧＭ信号を生成することができる。加速度計または圧力変換器によって生成された心臓加速度信号と共に、検知電極１６、１８、２０、２２、２４、２６によって取得されたＥＧＭ信号を用いて、虚血ならびに虚血の程度および心臓３４内の虚血組織の場所を検出することができる。加速度計は、心臓の動的機械的活動の指示を提供し、その指示は、電気信号の変化から導出された虚血の指示を補強するか、または否定する。
【００３１】
利点として、虚血の特定以外に、心臓加速度信号を用いて、異なる周波数範囲にある他の事象を測定することができる。たとえば、心臓加速度信号は、患者の姿勢または向きの場合、０〜０．５Ｈｚで監視され、患者の活動、たとえば運動の場合、１〜５Ｈｚで監視され、患者の心臓加速度の場合、５〜１００Ｈｚで監視することができる。心臓加速度分析用の周波数範囲は虚血の特定に役立つ範囲である。したがって、加速度計は、複数の目的に役立つ可能性がある。たとえば、適切な周波数帯域を分析することによって、加速度計を用いて、患者の活動、患者の向き、および心臓の加速度を検出することができる。
【００３２】
さらに、アンテナを有するプログラマ／出力デバイスは、ＩＭＤ１０とのワイヤレス通信用に設けることができる。ＩＭＤ１０は、プログラマ／出力デバイスに対する虚血の指示および他の情報を含む可能性のある無線周波数メッセージを送信するテレメトリ回路を含んでよい。ＩＭＤ１０はまた、ＩＭＤ内の動作パラメータの変更のために、テレメトリ回路を介してプログラミング情報を受け取ってよい。
【００３３】
プログラマ／出力デバイスはまた、ＩＭＤ１０によって送信された情報のグラフィック表示またはテキスト表示用のディスプレイ、ならびに、心臓３４内での虚血検出の指示を供給する可視または可聴表示器を含んでよい。ＩＭＤ１０はまた、万一虚血が検出された場合、患者に通知するための警報を備えてよい。プログラマ／出力デバイスはまた、キーパッドなどのユーザ入力デバイスを含んでもよく、ユーザ入力デバイスによって、医師は、診断または処置のためにＩＭＤ１０をプログラムするのに用いるための動作パラメータを変更することができる。
【００３４】
図２は、人の心臓３４に連結した別のＩＭＤ４８を示す図である。特に、ＩＭＤ４８は、ディフィブリレーション（除細動）のために心臓３４に電気刺激を供給するように構成されてよい。ＩＭＤ４８は、一般に、先に参照した米国特許第６，１２８，５２６号に記載されるディフィブリレーション・システムに従ってよい。図２の例において、ＩＭＤ４８は、ハウジングまたはコネクタブロック５０上の種々の場所に設けられた一組の電極５２、５６、５８を合わせた電極として働く外部ハウジング５４を含む。
【００３５】
ＩＭＤ４８は、２つの心腔３４内においてディフィブリレーション・コイル電極６４、７０を配置するためのリード線６０、６２を含んでもよい。リード線６０、６２は、心臓３４内の電気活動を検知するための、電極６６、６８、７２、７４などの付加的な電極を含んでもよい。電極６６、６８、７２、７４は、ＩＭＤ４８上にあるそれぞれの電極５２、５６、５８と電極対を形成することができる。図１の例と同様に、加速度計がリード線６０、６２の１本に取り付けられて、虚血を検出するのに用いる心臓加速度信号を取得することができる。一実施形態においては、心臓加速度信号が、冠静脈洞を介して配置された左側リード線から導出されてよい。また、圧力センサは、一実施形態においては、加速度計の代わりに用いられてよい。
【００３６】
図３は、リード線先端加速度計を備えた埋め込み可能リード線７６を示す側面図である。リード線７６は、診断用リード線、治療用リード線、またはその両方として用いられるように構成されてよく、図１および図２に示すＩＭＤを含む種々のＩＭＤと一体化されてよい。たとえば、リード線７６は、検知電極、刺激電極、またはその両方を保持してよい。図３に示すように、リード線７６は、遠位先端７８、第１部分８０および第２部分８２を含んでよい。第１部分８０および第２部分８２は、それぞれ、非導電性で生体適合性のある材料で形成された外部壁８１、８３を含む。
【００３７】
１つまたは複数の検知電極または刺激電極は、外部壁８１、８３の長手方向の区域に沿って形成されてよい。遠位先端７８は、電極８４、ならびに、配置されると心臓組織に遠位先端部材７８を固定する複数の安定化用歯(tine)（図３には示さず）を含んでよい。さらに、リード線７６は導電体を含んでもよく、導電体は、電極８４および第２部分８２内に取り付けられた加速度計組み立て品に結合してもよい。
【００３８】
図４は、図３に示すリード線７６の側断面図である。図４は、第１部分８０、第２部分８２、遠位先端７８および電極８４を示す。安定化用歯または他の固着構造は、所望される場合、遠位先端７８に追加されてよい。図４の例において、リード線７６は、遠位先端７８に隣接する第２部分８２内に取り付けられた加速度計組み立て品８８を含む。加速度計組み立て品８８はカプセルを形成し、大きな許容度および超小型を実現する微小電気機械システム（ＭＥＭＳ）技術を用いて作製することができる加速度計を含む。有利には、加速度計組み立て品８８は、双極誘導システムで用いられてよく、加速度計組み立て品のサイズが小さくなり、信頼性が向上する。
【００３９】
リード線７６はまた、第１および第２の導電性でらせん状に巻かれた導体９０、９２の形態の導体を含み、導体９０、９２はリード線の長さに沿って同軸に配列されている。らせん状に巻かれた導体９０、９２は、遠位電極８４および加速度計組み立て品８８に結合して、電極および加速度計組み立て品に対して出入りする電流を、ＩＭＤに結合しているリード線の近位端に運ぶことができる。たとえば、内側のらせん状に巻いた導体９０は、フィードスルー組み立て品８６を介して加速度計組み立て品８８の内部部品に結合されてよい。外側のらせん状に巻いた導体９２は、導電性でありかつチタンから形成されてよい、加速度計組み立て品８８の外部ハウジングおよび電極８４に結合する。加速度計信号は、それぞれ、内部加速度計接続部および外部ハウジング接続部を介して、導体９０、９２間に生成することができる。電極８４からの信号は、導体９２と、ＩＭＤハウジングまたは「円筒」上の電極の間で生成することができる。遠位先端７８、第１部分８０および第２部分８２は、全体を参照番号９４、９６、９８で示すクリンプ点で一緒にクリンプされる。粘着材料９９は、フィードスルー組み立て品８６内の空洞を満たす。
【００４０】
心臓加速度信号は、心臓３４の収縮力の関数として変動する。収縮力は、加速度計組み立て品８８によって変換されて、心臓の収縮性、より一般的には、心臓の動的機械的活動を表す電気心臓加速度信号が生成される。心臓３４の収縮力は、組み立て品８８の加速度計を物理的に変形させて、その電気特性を変え、加速度計を通過する電流を変化させる。再び、心臓収縮の指示を、圧力変換器を用いて代替的に取得することができる。
【００４１】
加速度計組み立て品８８は、従来の加速度計技術を利用することができ、心臓３４内での加速力の変化に伴って電気特性の変化を生じる、圧電型、圧電抵抗型、容量性、誘導性、または磁気センサの形態をとってよい。電気特性、たとえば、抵抗、静電容量、インダクタンスなどが変化すると、次に、加速度計組み立て品８８によって生ずる電気信号の変化が生ずる。
【００４２】
図４の例において、加速度計組み立て品８８は、リード線７６の先端または遠位端に取り付けられる。加速度計組み立て品８８は、リード線７６の他の場所に取り付けることができる。ただし、加速度計組み立て品８８は、心臓３４の収縮活動によって生ずる加速力を検出するように適切に位置決めされ、向きを定めることができるものとする。一実施形態において、加速度計組み立て品８８は、１つ、２つ、または３つの検出軸を有するように形成されてよい。言い換えれば、加速度計組み立て品８８は、心臓３４内の異なる壁によって生成された収縮力の結果として、複数の方向に延びる加速力を検出するように構成されてよい。
【００４３】
この場合、加速度計組み立て品８８は、複数軸加速度計またはそれぞれの軸に対して直角に向いた複数の加速度計、ならびに、各加速度計それぞれからの出力として心臓加速度信号を取得する複数の導体を装備してよい。一例として、加速度計組み立て品８８は、複数の加速度計に電流を通す単一導体ライン、および、加速度計のそれぞれから電流を戻して、異なる軸に対して個別の心臓加速度信号出力を供給する２つ以上の追加の導体ラインを含むであろう。別法として、各加速度計は、同じ導体ラインに結合し、時間多重されて、各加速度計の出力を区別するようにする信号を生じてもよい。
【００４４】
複数の軸に沿った心臓加速度の検出は、虚血組織の場所を確定するのに役立つ可能性がある。ある軸に沿った心臓加速度信号が、「正常である」、すなわち虚血を示さないが、別の軸に沿った心臓加速度信号が虚血エピソードの可能性を示す場合、虚血組織の場所は、関連する加速度計がそれに沿って整列している軸の向きに従って確定することができる。
【００４５】
こうした方法で、虚血状態は、医師の介入によってか、または自動化された方法で、処理され、心臓３４の適切な領域に的を絞ることができる。たとえば、虚血組織の場所に基づいて、襲われた場所の処置に最適な、選択された刺激電極に電気刺激を送出することができる。
【００４６】
さらに、刺激電流の振幅、周波数またはパルス幅は、襲われた場所に応じて制御されて、最適な治療効果が達成される。さらなる代替として、虚血組織の場所の確定を用いて、薬剤送出などの他のタイプの治療、ならびに薬剤送出のタイプ、用量および持続期間を選択することができる。また、場所情報は、過去に記録された場所情報と比較されて、虚血が、新たな場所で起こっているか、または以前に虚血エピソードのあった場所で起こっているかを判断することができる。
【００４７】
図５は、虚血検出用のシステム１００を示すブロック図である。図５に示すように、システム１００は、１つまたは複数のリード線対１０４を選択するリード線選択器回路１０２、信号プロセッサ回路１０６、加速度計１０８、プロセッサ１１０、メモリ１１２、治療制御回路１１２、治療送出システム１１４、およびアンテナ１１８を有するテレメトリデバイス１１６を含んでよい。リード線選択器回路１０２は、プロセッサ１１０によって制御され、心臓３４に対して複数の検出軸に沿って向いた電気信号を収集するために、リード線対を選択する。
【００４８】
プロセッサ１１０は、マイクロプロセッサ、マイクロコントローラ、デジタル信号プロセッサ（ＤＳＰ）、または他のプログラム可能なロジックデバイスの形態をとってよい。リード線対を介して取得された電気信号を用いて、ＥＣＧまたはＥＧＭを作り出し、ＰＱＲＳＴ群、特にＳＴ部分を分析するようにすることができる。ＳＴ部分の変化は、虚血の指標である可能性がある。本発明に従って、ＳＴ部分の変化と組み合わせて心臓の動的機械的活動を分析することは、より信頼性の高い虚血の指示を提供することができる。
【００４９】
信号プロセッサ回路１０６は、リード線選択器回路１０２の出力、および、図３および図４を参照して述べたリード線先端に配置されてよい加速度計１０８からの心臓加速度信号を受け取る。他の実施形態において、信号プロセッサ回路１０６は、圧力変換器から圧力信号を受け取ってよい。リード線選択器回路１０２の出力は、ＲＶコイル円筒、ＲＶリング円筒およびＳＶＣコイル円筒などの３つの電極対信号であってよい。一実施形態では、上述したように、加速度計１０８は、同じ検出軸に沿って向いた複数の心臓加速度信号を生ずることができる。信号プロセッサ回路１０６は、ＥＣＧまたはＥＭＧ信号ならびに心臓加速度信号を増幅する複数の検知増幅器を含んでよい。
【００５０】
さらに、信号プロセッサ回路１０６は、電気信号および心臓加速度信号を、平均、ピーク−ピークまたは総合の振幅しきい値などの基準に対して分析するサンプリングおよび比較器回路部を含んでよい。別法として、プロセッサ１１０は、信号プロセッサ回路１０６によって増幅された信号をデジタル的にサンプリングして、デジタル信号のソフトウェアによる分析を実施してよい。したがって、信号プロセッサ回路１０６は、プロセッサ１１０が分析するために、リード線選択器回路１０２および加速度計１０８によって生成されたアナログ信号をデジタルサンプルに変換するアナログ−デジタル変換器を含んでよい。プロセッサ１１０は、信号プロセッサ回路１０６の動作のために、必要な制御信号およびクロック信号を供給することができる。
【００５１】
メモリ１１２は、信号プロセッサ回路１０６によって生成されたデジタルサンプルおよびプロセッサ１１０によって格納され取り出される中間データを記憶するために設けられる。例えば、信号プロセッサ回路１０６は、メモリでの記憶のためにデジタルサンプルを保持する複数のバッファを含んでよい。単純にするために図５には示されていないが、プロセッサ１１０、メモリ１１２および信号プロセッサ回路１０６は、当技術分野でよく知られている、共通データ／命令バスを介して通信してよい。デジタルサンプルは、信号プロセッサ回路１０６またはプロセッサ１１０においてパラメータ化されて、所定のしきい値と比較するための値を生成することができる。再び、比較は、信号プロセッサ回路１０６によって提供された離散回路部内でか、またはプロセッサ１１０によって実行されるコードを介して生じてよい。コードは、メモリ１１２またはテレメトリデバイス１１６を介してプロセッサに通信で結合した外部プログラマ／出力デバイスと連結する他の固定または取り外し可能なメディアデバイスなどの、プロセッサ１１０がアクセス可能なコンピュータ読み取り可能媒体によって保持された命令を含んでよい。
【００５２】
リード線選択器回路１０２によって生成されたＥＣＧ、ＥＧＭ、ＳＥＡまたは他の電気信号は、処理されてパラメータ化され、比較に役立つ種々の異なる値を表すことができる。一実施形態において、電気信号が処理されて、ＰＱＲＳＴ群のＳＴ部分について、平均、ピーク−ピーク、または総合の振幅などの振幅値を生成することができる。ＳＴ部分は、振幅が通常、連続したＰＱＲＳＴシーケンスの間に検知されたＥＣＧまたはＥＧＭ信号のベースラインの近くにある。しかしながら、心筋虚血エピソード中に、ＳＴ部分の振幅は、かなり上昇するか下降する場合がある。したがって、ＳＴ部分の振幅を振幅しきい値と比較することによって、プロセッサ１１０は、可能性のある虚血エピソードを識別することができる。
【００５３】
さらに、プロセッサ１１０は、リード線対の１つがそれによって振幅しきい値を越えてＳＴ部分偏位を生ずる虚血状態の場所を検出するように構成されてよい。一実施形態において、場所は、異なる検知軸について加速度計１０８から取得されたいくつかの加速度信号のうちの１つと関係付けられることができる。ＳＴ部分と一致する時間枠にわたる、一連のサンプルの平均を計算することによるなどの複数の方法で、平均振幅を取得し表すことができる。各信号についてのピーク−ピーク振幅は、ＳＴ部分とほぼ一致する持続期間にわたって、ＳＴ部分の最大および最小の検出、ならびに、心臓加速度信号の最大および最小の検出によって取得することができる。各信号についての総合振幅は、ＳＴ部分とほぼ一致する持続時間にわたって、ＳＴ部分を積分し、加速度信号を積分することによって、取得することができる。ＳＴ部分の変化が虚血エピソード中に上昇するか、または下降する可能性があるので、ＳＴ部分パラメータは、ＳＴ部分の変化の絶対値によって決めることができる。
【００５４】
虚血の指標としてのＳＴ部分の使用は信頼性のない可能性があるので、プロセッサ１１０（および／または信号処理回路１０６）はまた、加速度計１０８によって生成された心臓加速度信号を分析するように構成される。特に、プロセッサ１１０は、ＳＴ部分とほぼ一致する時刻における、平均振幅または積分振幅などの心臓加速度信号を表すパラメータ化された値を、適切なしきい値と比較する。こうした方法で、より確実な虚血検出のために、システム１００はＳＴ部分と心臓加速度信号を関係付けることができる。心臓加速度信号（または、別法として、圧力信号）もまた虚血を示しているかどうかを確認することによって、プロセッサ１１０は、虚血以外の状態による、たとえば、軸シフト、電気雑音、心臓ペーシング刺激、薬剤、およびＰＱＲＳＴ群を歪ませる高い洞レートまたは頻脈レートによって引き起こされる全ＰＱＲＳＴ群の変化による、ＳＴ部分の逸脱を無視することができる。その結果、システム１００は、誤った虚血の指示の数を減らし、心筋虚血の指標としてのＳＴ部分の信頼性を高めることができる。
【００５５】
適切なしきい値に対するＳＴ部分および心臓加速度信号の逸脱に基づいて、プロセッサ１１０はまた、虚血状態の深刻さを定量化することができる。ＳＴ部分および心臓加速度信号の両方が適切なしきい値を満たす場合、プロセッサ１１０は虚血事象を示し、治療動作を行うようにプログラムされてよい。たとえば、プロセッサ１１０は治療制御信号を生成することができ、治療制御信号によって、治療制御回路１１２が、治療送出システム１１４からの治療送出を要求する。治療送出システム１１４は、たとえば、薬剤送出システム、または、カーディオバータまたはディフィブリレータなどの電気刺激システムの形態をとってよい。
【００５６】
プロセッサ１１０はまた、加速度計信号に基づいて、虚血組織の場所および虚血状態の深刻さを治療制御回路１１２に指示することができる。したがって、治療制御回路１１２は、プロセッサ１１０によって提供される指示に基づいて、治療送出システム１１４を制御するように構成されてよい。たとえば、治療制御回路１１２は、プロセッサ１１０によって提供された場所および深刻さの指示に基づいて、治療のタイプ、たとえば、薬剤送出および／または電気刺激、治療の用量、振幅および持続期間、ならびに、治療送出の場所を選択してよい。
【００５７】
プロセッサ１１０はまた、アンテナ１１８を介して、虚血状態の指示を外部デバイスに伝達するテレメトリデバイス１１６を制御することができる。したがって、指示は、虚血状態、一実施形態においては、虚血組織の場所および虚血状態の深刻さを示すワイヤレス無線周波数メッセージであってよい。さらに、ＩＭＤ自体は、虚血エピソードが起こっている時を患者に知らせる可聴警告を有してよい。
【００５８】
プログラマ／出力デバイスであってよい外部デバイスは、例えば、ディスプレイ、または可視または可聴警告によって、虚血状態を医師または他の付き添い人に知らせる。また、虚血事象は、医師が再検討するために、外部デバイスのメモリまたはＩＭＤ内に記憶されてよい。加速度計１０８およびリード線１０４を除いて、システム１００の部品は、図１および図２に示すハウジングのような共通ハウジングに収容されてよい。別法として、システム１００の各部は個別に収納されてよい。たとえば、特に、治療送出システムが薬剤送出機能を含むような治療送出システム１１４は、別のハウジング内に設けられるであろう。この場合、治療制御回路１１２は、電気ケーブルまたはワイヤレスリンクによって治療送出システム１１４と相互作用してよい。
【００５９】
図６Ａ、図６Ｂおよび図６Ｃは、犬の心臓内での電気活動と心臓加速度との間の関係の例を示すグラフである。特に、図６Ａは、ある時間枠にわたってＲ波ピーク、ＳＴ部分およびＴ波を含むＥＣＧ信号を示す。図６Ｂは、同じ時間枠にわたって、左心室内、例えば、心室内に配置されたリード線に設置された圧力センサの出力を示す。図６Ｃは、やはり同じ時間枠にわたって、右心室内、例えば、心室内に配置されたリード線の先端に設置された加速度計の出力を示す。
【００６０】
心臓加速度信号は、ＥＣＧ信号のＳＴ部分と時間がほぼ一致する区域１２０が特徴である。同様に、圧力信号は、ＳＴ部分と一致する区域１２１を有する。この例では、区域１２０、１２１は、一時的な正への偏位とそれに続く負への偏位が特徴であり、それは、左心室の収縮力に対応する。圧力の増加は収縮中に生ずる圧力による。寛いでいる間、圧力は降下する。加速度信号の場合、増加は、収縮中の心臓の加速または振動によっており、加速度信号は圧力信号の最大傾斜（ＤＰ／ＤＴ）と同じ期間の間に起こる。通常、第１加速度信号より振幅が小さく、最大の負のＤＰ／ＤＴに対応する第２加速度信号もまた見ることができる。しかしながら、波形は、リード線の場所、加速度計の感度軸、および他の因子に応じて著しく変動する可能性がある。
【００６１】
図６Ａおよび図６Ｃはまた、例の振幅しきい値Ｔ１およびＴ２を示す。しきい値は、それぞれ、ＳＴ部分の振幅および心臓加速度信号の振幅を分析するのに用いられてよい。同様なしきい値は圧力信号について用いることができる。しきい値は、ＳＴ部分の持続期間にわたる平均振幅かまたはピーク−ピーク振幅を反映してよい。代替として、たとえば、心臓加速度信号の積分によって取得された総合振幅は、総合振幅しきい値との比較に用いられるであろう。図６Ａ〜図６Ｃの例において、しきい値Ｔ１およびＴ２は、それぞれ、ＳＴ部分および心臓加速度信号の最大および最小と比較するためピーク−ピーク振幅しきい値を表す。
【００６２】
図７Ａ、図７Ｂおよび図７Ｃは、虚血エピソード中の犬の心臓内での電気活動と心臓加速度との間の関係の例を示すグラフである。図７Ａに示すように、ＥＣＧまたはＥＧＭ信号のＳＴ部分は、心臓組織が虚血になった時に大幅な増加を示す場合がある。図６Ａと比較すると、例えば、図７ＡのＳＴ部分の振幅は著しく増加し、医師が虚血状態を識別するために指定することができるしきい値Ｔ１を超えている。図７Ｂにおいて、圧力信号の振幅は、図６Ｂに示す振幅に比べて減少している。
【００６３】
図７Ｃに示すように、心臓加速度信号はまた虚血の影響を示す。具体的には、虚血の場合、ＳＴ部分と一致する心臓加速度信号の部分１２０は、図６Ｃに比べて振幅が著しく減少している。この例において、部分１２０は、しきい値Ｔ２より小さいピーク−ピーク振幅を有する。したがって、ＳＴ部分の振幅がしきい値Ｔ１を越え、心臓加速度信号の振幅がしきい値Ｔ２以下に下がると、本発明によって、虚血エピソードをより確実に示すことができる。
【００６４】
再び、ＳＴ部分および心臓加速度信号の振幅ならびにしきい値Ｔ１およびＴ２は、ピーク−ピーク、平均、または総合振幅、または虚血検出において信頼性があると思われる任意の他のパラメータであってよい。基本的な技法は、相関させる方法で、ＳＴ部分および心臓加速度信号を共に分析することを伴い、ＳＴ部分の変化が虚血以外の因子によるという可能性を減らすようにする。このことによって、誤った指示の数の低減が可能になる。
【００６５】
図８は、虚血の存在下での心臓加速度の変化を示す別のグラフである。特に、図８は、虚血が犬の心臓に導入される実験の間の心臓加速度信号１２２の変化を示す。グラフの左軸は、重力ｇで測定された加速度計ピーク−ピーク信号を示す。最下部の軸は時間経過を示す。右軸は虚血パラメータ１２４を示す。虚血パラメータ１２４は、例えば、ＥＣＧまたはＥＧＭ信号のＳＴ部分などの電気信号から導出され得る。特に、虚血パラメータ１２４は、Ｒ波振幅の割り合いとして、ＳＴ部分の変化を表してよい。
【００６６】
図８に示すように、ドブタミンは心臓に強力な収縮を引き起こすため、ドブタミン注入１２３についで、心臓加速度信号１２２が急激にピークに達する。その後、心臓は、バルーン閉塞を受けて、意図的に血流が制限され、それによって、虚血が引き起こされる。その時、参照番号１２５で示すように虚血パラメータが急激にピークに達するが、心臓加速度信号１２２は、参照番号１２８で示すように著しく低下する。参照番号１２６で示すようにバルーン閉塞が再び適用されると、心臓加速度信号１２２はまた、虚血パラメータがピークに達している間再び低下する。図８の垂直の点線は、ドブタミン注入、最初のバルーン閉塞、および次のバルーン閉塞の持続期間を示す。
【００６７】
図９は、虚血検出プロセスを示すフロー図である。一般に、プロセスは、ＥＣＧまたはＥＧＭ信号などの電気信号を取得すること（１３０）、および、第１基準を信号に適用すること（１３２）を含んでよい。例えば、第１基準は、電気信号のＳＴ部分の、平均、ピーク−ピークまたは総合の振幅などの電気信号の振幅パラメータと比較される振幅しき値であってよい。第１基準が満たされない場合、プロセスは電気信号の評価（１３０）に戻る。
【００６８】
第１基準が満たされる場合（１３４）、技法は、加速度計信号、すなわち、心臓加速度信号を取得すること（１３６）、および、第２基準を加速度計信号に適用すること（１３８）を伴う。第１基準と同様に、第２基準は、電気信号のＳＴ部分と時間的に一致する領域における、平均、ピーク−ピークまたは総合の振幅などの心臓加速度信号の振幅パラメータと比較される振幅しき値であってよい。
【００６９】
第２基準が満たされない場合、プロセスは電気信号の評価（１３０）に戻る。しかしながら、第２基準が満たされる場合（１４０）、プロセスは虚血エピソードを示す（１４２）。一実施形態において、プロセスは、虚血の指標に応答して患者に治療を送出することができる（１４４）。たとえば、プロセスは、薬剤または電気刺激の送出を伴ってよい。薬剤および電気刺激は、虚血検出回路部と一体になっているものを含む埋め込み可能医療デバイスによって送出されることができる。別法として、薬剤および電気刺激は患者に外部から投与されてよい。
【００７０】
図１０は、別の虚血検出プロセスを示すフロー図である。図１０のプロセスは、図９と同じであるが、異なる軸についての複数の電気信号の収集を示しており、虚血組織の場所の確定に役立つ。特に、プロセスは、複数のＥＣＧ信号を取得すること（１４４）、第１基準を信号に適用すること（１４６）、および、信号のいずれかについて基準が満たされたかどうかを判断すること（１４８）を伴ってよい。満たされる場合、プロセスは、基準を満たす電気信号を識別し（１５０）、次に、加速度計信号を取得する（１５２）。
【００７１】
第２基準が加速度計信号に適用され（１５４）、第２基準が満たされる（１５６）とすぐ、プロセスは、どの電気信号が第１基準を満たしたか（１５８）、すなわち、どの電気信号が虚血を示すＳＴ部分の変化を示したかに基づいて、虚血組織の場所の指示と共に虚血エピソードを示す。これに基づいて、プロセスは、治療の送出（１６０）、ある実施形態においては、心臓内の特定の場所に対する、または特定の場所に対して選択された形態での治療の送出をさらに伴ってよい。
【００７２】
心臓内における虚血組織の場所の確定はまた、複数の軸に沿って複数の心臓加速度信号を取得することによって支援することができる。電気信号と同様に、心臓加速度信号は、必ずしも他の複数の軸ではなくて１つの軸に沿って虚血を示して、それによって、心臓内でより特定の虚血領域を分離することを可能にする。電気信号の場合と同様に、これが、患者に送出される治療のタイプ、レベルおよび焦点を選択するのに役立つ可能性がある。
【００７３】
図１１は、虚血検出プロセスをより詳細に示すフロー図である。図１１に示すように、プロセスは、ＳＴ部分を特定するために（１６２）、ＥＣＧまたはＥＧＭ信号などの電気信号の分析を伴う。ＳＴ部分は、例えば、ピーク−ピーク振幅、平均振幅、または総合の振幅としてパラメータ化され（１６４）、振幅しきい値Ｔ１と比較される（１６６）。ＳＴ部分の振幅がしきい値Ｔ１を越える場合、虚血状態が存在する可能性がある。
【００７４】
より確実に虚血を確認するために、プロセスは、加速度計信号を取得すること（１６８）、加速度計信号をパラメータ化すること（１７０）、および、加速度計信号を振幅しきい値Ｔ２と比較すること（１７２）を伴う。加速度計信号振幅がしきい値Ｔ２より低下する場合（１７２）、ＳＴ部分の増加に加えて収縮性の変化が確認され、より確実な虚血の指示が提供される。これに基づいて、プロセスは虚血状態を示し（１７４）、患者への治療送出（１７６）に対する根拠として指示を利用することができる。
【００７５】
振幅しきい値は、例のために本明細書で述べられているが、広範囲に特許請求されている本発明の制限として読まれるべきではない。虚血を特定する時の評価用に他の信号パラメータが適切であってよい。また、所与のしきい値を越えることは、例えば、図６、図７、および図８のグラフを参照して述べたように、一定レベルを越えるか、または下回る増加をもたらす変化のことを言うことに留意する。具体的には、ある場合、虚血は、ＳＴ部分の期間での、ＳＴ部分の振幅の増加および心臓加速度信号の減少によって示されてよい。また、一実施形態において、電気信号および加速度信号は、組み合わされて単一のパラメータ化された値にされ、その値が、単一のしきい値と比較されて、虚血エピソードが示されているかどうかが判断されるであろう。
【００７６】
電気信号のＳＴ部分によって示される虚血エピソードを確認するのに動的機械的心臓活動を示す信号を用いることは、より確実な虚血の指示、誤った指示および不必要な処置を与えることの回避を含む、多くの利点を提供することができる。さらに、患者に送出される治療のタイプまたは量に対する標準を提供する心臓の収縮性機能、したがって、虚血の程度をより確実に定量化する時に、心臓加速度信号が、単独でまたは電気信号と組み合わされて役立つ可能性がある。
【００７７】
さらに、単独でまたは電気信号と組み合わされて、複数次元心臓加速度信号を用いて、虚血組織の場所をよりよく特定することができる。実際、リード線先端において複数軸加速度計を用いることは、姿勢の変化による軸のシフトを検出し、虚血検出の感度を付加することができる。複数軸加速度計信号は、論理ＯＲの方式で組み合わされて、虚血に対する感度を増加させるか、または、論理ＡＮＤの方式で組み合わされて、すなわち虚血組織の場所の点で、特異性を増加させることができる。さらに、直交加速度信号の相対的な変化を用いて、虚血組織の場所をより狭く特定することができる。
【００７８】
上述したこと以外に、本発明者らは、全体的な心臓の収縮性の変化を追跡する方法として、心内膜加速度測定を用いることができることを発見した。したがって、心不全（ＨＦ）の進行の関数として、ピーク心内膜加速度（ＰＥＡ）および左心室ｄＰ／ｄｔ（ＬＶｄＰ／ｄｔ）の変化が測定されることができる。
【００７９】
実験例
ＨＦ進行の関数としてＰＥＡを用いる少なくとも１つの実験的調査は、以下のプロトコルを利用した。すなわち、４匹の犬が、（ＲＶ尖部における心内膜単一軸加速度計リード線を備えた）専用ＬＶ圧力センサを長期にわたって取り付けられた。しかし、当業者にはすぐに理解されるように他の圧力センサを用いることが可能である。高レート（ＨＲ）ペースメーカがＬＶ心外膜双極ペーシング電極に接続された。
【００８０】
もちろん、この実験例では単一軸加速度計が利用されたが、２つ以上の単一軸加速度計を利用するか、あるいは、単一軸加速度計の代わりにまたはそれに加えて、複数軸加速度計を採用してよい。すなわち、本発明に関して述べた任意の特定の単一軸加速度計の代わりに、１つまたは複数の２軸または３軸加速度計を用いてよい。
【００８１】
実験例について続けると、発明者らは、Ｒ波検出後の１００ミリ秒で測定された加速度計信号のピーク−ピーク変化としてＰＥＡを定義した。被検体は、心電図および血行動態測定によって評価されたＨＦ（ステージ３）にＬＶペーシングされた（２４０ｐｐｍ）。洞およびＬＶのペーシングされた調律中のＬＶｄｐ／ｄｔおよびＰＥＡは、４週にわたるＨＲペーシングの前およびペーシング中に、無麻酔覚醒モニター中に収集された。
【００８２】
結果は非常に有望であった（以下に示された表１を参照されたい）。すなわち、ＬＶｄｐ／ｄｔによって測定された収縮性は、洞およびＬＶのペーシングされた調律の両方について、ＨＦの５０％（ｐ＜０．０５）だけ減った。ＰＥＡは、ＰＥＡの拍動−拍動間の大きな変動性のために、洞調律におけるコントロールとＨＦの間で異ならなかった。
【００８３】
上述したことから少なくとも１つの結論を引き出すことができる。すなわち、ＰＥＡをＬＶｄｐ／ｄｔの代理として用いて、ペーシングされた調律中における全体的な収縮性の変化を評価することができる。
【００８４】
【表１】
2005501618.tif 000003
本発明の種々の実施形態が述べられた。代替の実施形態が考えられる。加速度計ではなく、例えば、本明細書に記載された圧力変換器などの他のセンサを使用して、心臓の収縮性を示す信号を所得することができる。さらに、圧力信号の第１微分係数の最大値（最大ＤＰ／ＤＴと呼ばれることが多い）を用いて、心臓の収縮性を評価することができ、ＰＥＡがしたように虚血を示す信号として用いることができる。特に、血圧または速度変換器は、心臓の収縮性の測度を引き出すのに役立つ信号を提供することができる。これらのおよび他の実施形態は添付の特許請求項の範囲内である。
【図面の簡単な説明】
【００８５】
【図１】心臓と連結した例示的な埋め込み可能医療デバイスを示す図である。
【図２】心臓と連結した別の例示的な埋め込み可能医療デバイスを示す図である。
【図３】リード線先端加速度計の組み込みに適した埋め込み可能リード線を示す側面図である。
【図４】図３に示すリード線の側断面図である。
【図５】虚血検出のためのシステムを示すブロック図である。
【図６Ａ】犬の心臓内での電気活動と心臓加速度の間の関係を示すグラフである。
【図６Ｂ】犬の心臓内での電気活動と心臓加速度の間の関係を示すグラフである。
【図６Ｃ】犬の心臓内での電気活動と心臓加速度の間の関係を示すグラフである。
【図７Ａ】虚血エピソード中の、犬の心臓内での電気活動と心臓加速度の間の関係を示すグラフである。
【図７Ｂ】虚血エピソード中の、犬の心臓内での電気活動と心臓加速度の間の関係を示すグラフである。
【図７Ｃ】虚血エピソード中の、犬の心臓内での電気活動と心臓加速度の間の関係を示すグラフである。
【図８】虚血の存在下での心臓加速度の変化を示す別のグラフである。
【図９】虚血検出のためのプロセスを示すフロー図である。
【図１０】虚血検出のための別のプロセスを示すフロー図である。
【図１１】虚血検出のためのプロセスをより詳細に示すフロー図である。
【図５】
2005501618.tif 000004
【図６Ａ】
2005501618.tif 000005
【図７Ａ】
2005501618.tif 000006
【図８】
2005501618.tif 000007
【図９】
2005501618.tif 000008
【図１０】
2005501618.tif 000009
【図１１】
2005501618.tif 000010
【国際公開パンフレット】
2005501618.tif 000011
2005501618.tif 000012
2005501618.tif 000013
2005501618.tif 000014
2005501618.tif 000015
2005501618.tif 000016
2005501618.tif 000017
2005501618.tif 000018
2005501618.tif 000019
2005501618.tif 000020
2005501618.tif 000021
2005501618.tif 000022
2005501618.tif 000023
2005501618.tif 000024
2005501618.tif 000025
2005501618.tif 000026
2005501618.tif 000027
2005501618.tif 000028
2005501618.tif 000029
2005501618.tif 000030
2005501618.tif 000031
2005501618.tif 000032
2005501618.tif 000033
2005501618.tif 000034
2005501618.tif 000035
2005501618.tif 000036
2005501618.tif 000037
2005501618.tif 000038
2005501618.tif 000039
2005501618.tif 000040
2005501618.tif 000041
2005501618.tif 000042
2005501618.tif 000043
2005501618.tif 000044
2005501618.tif 000045
2005501618.tif 000046
2005501618.tif 000047
2005501618.tif 000048
2005501618.tif 000049
2005501618.tif 000050
2005501618.tif 000051
2005501618.tif 000052
2005501618.tif 000053
【手続補正書】
【提出日】平成16年2月5日(2004.2.5)
【手続補正１】
【補正対象書類名】特許請求の範囲
【補正対象項目名】全文
【補正方法】変更
【補正の内容】
【特許請求の範囲】
【請求項１】
心臓（３４）の動的機械的活動を示す第１信号（１２０、１２１、１２２）を取得すること、
心臓（３４）の電気活動を示す第２信号（１３０）を取得すること、および、
前記第１信号（１２０、１２１、１２２）および前記第２信号（１３０）の両方に基づいて心筋虚血状態を検出すること、
を特徴とする心筋虚血を検出する方法。
【請求項２】
前記第１信号および前記第２信号が共に虚血の指示に対する基準を満たす時に、心筋虚血を検出することをさらに含む請求項１に記載の心筋虚血を検出する方法。
【請求項３】
前記基準は、第１しきい値と第１の所定の関係を有する前記第１信号の変化、および第２しきい値と第２の所定の関係を有する前記第２信号の変化を含む請求項２に記載の心筋虚血を検出する方法。
【請求項４】
前記第１の所定の関係は、前記第１しきい値以下に降下するという前記第１信号の減少であり、前記第２の所定の関係は、前記第２しきい値を超えるという前記第２信号の増加である請求項３に記載の心筋虚血を検出する方法。
【請求項５】
心筋虚血が検出されると、心臓内での前記虚血の作用を軽減する治療送出用の信号を生成することをさらに含む請求項１に記載の心筋虚血を検出する方法。
【請求項６】
心筋虚血が検出されると、医師が再調査するための、前記心筋虚血についての情報を記憶することをさらに含む請求項１に記載の心筋虚血を検出する方法。
【請求項７】
心筋虚血が検出されると、患者に通知することをさらに含む請求項１に記載の心筋虚血を検出する方法。
【請求項８】
心筋虚血が検出されると、心臓内での前記虚血の作用を軽減する治療を送出することをさらに含む請求項１に記載の心筋虚血を検出する方法。
【請求項９】
心筋虚血が検出されると、薬剤送出、電気刺激、継続中の電気刺激の変更、ならびに薬剤送出および電気刺激の組み合わせのうちの少なくとも１つを含む、患者に治療を送出することをさらに含む請求項１に記載の心筋虚血を検出する方法。
【請求項１０】
前記第１信号を取得することは、心臓内に配置された加速度計からの心臓加速度信号を取得することを含む請求項１に記載の心筋虚血を検出する方法。
【請求項１１】
前記第１信号を取得することは、心臓に配置された埋め込み式リード線の先端に一体化された、加速度計からの心臓加速度信号を取得することを含む請求項１に記載の心筋虚血を検出する方法。
【請求項１２】
前記リード線は、患者に電気刺激を送出するための、埋め込み式医療デバイスに結合した治療リード線である請求項１１に記載の心筋虚血を検出する方法。
【請求項１３】
前記リード線は、診断データを収集するための、埋め込み式医療デバイスに結合した診断リード線である請求項１１に記載の心筋虚血を検出する方法。
【請求項１４】
前記第１信号を取得することは、心臓内に配置された圧力変換器から圧力信号を取得することを含む請求項１に記載の心筋虚血を検出する方法。
【請求項１５】
心臓に埋め込まれた一組の内部リード線から前記第２信号を取得することをさらに含む請求項１に記載の心筋虚血を検出する方法。
【請求項１６】
皮下電極アレイから前記第２信号を取得することをさらに含む請求項１に記載の心筋虚血を検出する方法。
【請求項１７】
患者の体表面と接触する一組の外部リード線から前記第２信号を取得することをさらに含む請求項１に記載の心筋虚血を検出する方法。
【請求項１８】
前記第１信号と関連する第１パラメータの変化を第１しきい値と比較すること、
前記第２信号と関連する第２パラメータの変化を第２しきい値と比較すること、および、
前記第１パラメータの変化が前記第１しきい値を越え、かつ、前記第２パラメータの変化が前記第２しきい値を越えた時に、心筋虚血を示すこと、
をさらに含む請求項１に記載の心筋虚血を検出する方法。
【請求項１９】
前記第１信号パラメータは、前記第１信号の振幅を表す請求項１８に記載の心筋虚血を検出する方法。
【請求項２０】
前記第１信号パラメータは、Ｒ波に近接する時間枠中での前記第１信号の積分値を表す請求項１８に記載の心筋虚血を検出する方法。
【請求項２１】
前記第２信号は心電図および電位図のうちの１つであり、前記第２信号パラメータは、前記電気信号の等電位点レベルに対して測定された前記電気信号のＳＴ部分の振幅である請求項１８に記載の心筋虚血を検出する方法。
【請求項２２】
前記第１信号パラメータが、第１レベルから第１の量だけ変わり、かつ、前記第２信号パラメータが、第２レベルから第２の量だけ変わった時、心筋虚血を示すことをさらに含む請求項２１に記載の心筋虚血を検出する方法。
【請求項２３】
前記第１信号および前記第２信号の両方に基づいてパラメータを生成すること、および、
該パラメータとしきい値との比較に基づいて心筋虚血を検出すること、
をさらに含む請求項１に記載の心筋虚血を検出する方法。
【請求項２４】
前記第１信号および前記第２信号に基づいて、虚血の程度を定量化することをさらに含む請求項１に記載の心筋虚血を検出する方法。
【請求項２５】
前記第１信号および前記第２信号に基づいて、虚血組織の場所を確定することをさらに含む請求項１に記載の心筋虚血を検出する方法。
【請求項２６】
前記第１信号は、複数の第１信号であって、該第１信号のそれぞれは複数の軸の１つに沿った心臓の動的機械的活動を示す、複数の第１信号を含み、
前記複数の第１信号に基づいて虚血組織の場所を確定することをさらに含む請求項１に記載の心筋虚血を検出する方法。
【請求項２７】
前記第２信号は、複数の第２信号であって、該第２信号のそれぞれは複数の軸の１つに沿った心臓の電気活動を示す、前記複数の第２信号を含み、
前記複数の第１信号および前記複数の第２信号に基づいて虚血組織の場所を確定することをさらに含む請求項２６に記載の心筋虚血を検出する方法。
【請求項２８】
心臓（３４）の動的機械的活動を示す第１信号（１２０、１２１、１２２）を取得する第１センサ（８８）と、
心臓の電気活動を示す第２信号（１３０）を取得する第２センサ（６６、６８、７２、７４）と、
前記第１信号（１２０、１２１、１２２）および前記第２信号（１３０）の両方に基づいて心筋虚血を検出するプロセッサ（１１０）と、
を備える心筋虚血を検出するシステム。
【請求項２９】
前記プロセッサは、前記第１信号および前記第２信号が共に虚血の指示に対する基準を満たす時に、心筋虚血を検出する請求項２８に記載の心筋虚血を検出するシステム。
【請求項３０】
前記基準は、第１しきい値と第１の所定の関係を有する前記第１信号の変化、および第２しきい値と第２の所定の関係を有する前記第２信号の変化を含む請求項２８に記載の心筋虚血を検出するシステム。
【請求項３１】
前記第１の所定の関係は、前記第１しきい値以下に降下するという前記第１信号の減少であり、前記第２の所定の関係は、前記第２しきい値を超えるという前記第２信号の増加である請求項３０に記載の心筋虚血を検出するシステム。
【請求項３２】
前記プロセッサは、心筋虚血が検出されると、心臓内での前記虚血の作用を軽減するように治療送出用の信号を生成する請求項２８に記載の心筋虚血を検出するシステム。
【請求項３３】
前記プロセッサは、心筋虚血が検出されると、医師が再調査するための、前記心筋虚血についての情報を記憶する請求項２８に記載の心筋虚血を検出するシステム。
【請求項３４】
前記プロセッサは、心筋虚血が検出されると患者に通知する請求項２８に記載の心筋虚血を検出するシステム。
【請求項３５】
前記プロセッサは、心筋虚血が検出されると、心臓内での前記虚血の作用を軽減する治療の送出を制御する請求項２８に記載の心筋虚血を検出するシステム。
【請求項３６】
前記治療は、薬剤送出、電気刺激、ならびに薬剤送出および電気刺激の組み合わせのうちの少なくとも１つを含む請求項３５に記載の心筋虚血を検出するシステム。
【請求項３７】
前記第１センサは、埋め込み可能リード線内に一体化した少なくとも１つの加速度計を含む請求項２８に記載の心筋虚血を検出するシステム。
【請求項３８】
前記リード線は、心臓に電気刺激を送出するための、埋め込み可能医療デバイスに結合された治療リード線である請求項２８に記載の心筋虚血を検出するシステム。
【請求項３９】
前記リード線は、診断データを収集するための、埋め込み可能医療デバイスに結合した診断リード線である請求項３８に記載の心筋虚血を検出するシステム。
【請求項４０】
前記第１センサは、埋め込み可能リード線内に一体化された圧力変換器を含む請求項２８に記載の心筋虚血を検出するシステム。
【請求項４１】
前記第２センサは、ＥＣＧ、ＥＧＭ、またはＳＥＡ信号を収集するようになっている電極を含む請求項２８に記載の心筋虚血を検出するシステム。
【請求項４２】
前記電極のうちの少なくともいくつかは、埋め込み可能リード線によって保持される請求項４１に記載の心筋虚血を検出するシステム。
【請求項４３】
前記電極は、人間の体の表面に対して外部で用いるように構成されている請求項４１に記載の心筋虚血を検出するシステム。
【請求項４４】
前記プロセッサは、前記第１信号と関連する第１パラメータの変化を第１しきい値と比較し、前記第２信号と関連する第２パラメータの変化を第２しきい値と比較し、前記第１パラメータの変化が前記第１しきい値を越え、かつ、前記第２パラメータの変化が前記第２しきい値を越えた時に、心筋虚血を指示するようにプログラムされる請求項２８に記載の心筋虚血を検出するシステム。
【請求項４５】
前記第１パラメータは前記第１信号の振幅を表す請求項４４に記載の心筋虚血を検出するシステム。
【請求項４６】
前記第１信号パラメータは、Ｒ波に近接する時間枠中での前記第１信号の積分値を表す請求項４４に記載の心筋虚血を検出するシステム。
【請求項４７】
前記第２信号は心電図および電位図のうちの１つであり、前記第２信号パラメータは、前記電気信号のＳＴ部分の振幅である請求項４４に記載の心筋虚血を検出するシステム。
【請求項４８】
前記プロセッサは、前記第１信号パラメータが、第１レベルから第１の量だけ変わり、かつ、前記第２信号パラメータが、第２レベルから第２の量だけ変わった時、心筋虚血を示す請求項４７に記載の心筋虚血を検出するシステム。
【請求項４９】
前記プロセッサは、前記第１信号および前記第２信号の両方に基づいてパラメータを生成し、該パラメータとしきい値との比較に基づいて心筋虚血を検出する請求項２８に記載の心筋虚血を検出するシステム。
【請求項５０】
前記プロセッサは、前記第１信号および前記第２信号に基づいて、虚血の程度を定量化する請求項２８に記載の心筋虚血を検出するシステム。
【請求項５１】
前記プロセッサは、前記第１信号および前記第２信号に基づいて、虚血組織の場所を確定する請求項２８に記載の心筋虚血を検出するシステム。
【請求項５２】
前記第１信号は、複数の第１信号であって、該第１信号のそれぞれは複数の軸の１つに沿った心臓の動的機械的活動を示す、前記複数の第１信号を含み、
前記プロセッサは、前記複数の第１信号に基づいて虚血組織の場所を確定する請求項２８に記載の心筋虚血を検出するシステム。
【請求項５３】
前記第２信号は、複数の第２信号であって、該第２信号のそれぞれは複数の軸の１つに沿った心臓の電気活動を示す、前記複数の第２信号を含み、
前記プロセッサは、前記複数の第１信号および前記複数の第２信号に基づいて虚血組織の場所を確定する請求項５２に記載の心筋虚血を検出するシステム。
【請求項５４】
虚血の検出によるメッセージの無線送信のためのテレメトリデバイスをさらに備える請求項２８に記載の心筋虚血を検出するシステム。
【請求項５５】
前記第１センサは複数軸加速度計を含み、前記第１信号は、複数の心臓加速度信号であって、該心臓加速度信号のそれぞれは、複数の軸の１つに沿った収縮加速度を示す、前記複数の心臓加速度信号を含み、
前記プロセッサは、前記心臓加速度信号に基づいて虚血組織の場所を確定する請求項２８に記載の心筋虚血を検出するシステム。
【請求項５６】
心臓（３４）の収縮活動を示す第１信号（１２０、１２１、１２２）を取得すること、
心臓（１３０）の電気活動を示す第２信号（１３０）を取得すること、および、
前記第１信号（１２０、１２１、１２２）および前記第２信号（１３０）の両方に基づいて心筋虚血を検出すること、
を含む心筋虚血を検出する方法。
【請求項５７】
心筋虚血が示されると、心臓内での前記虚血の作用を軽減する治療を送出することをさらに含む請求項５６に記載の心筋虚血を検出する方法。
【請求項５８】
前記治療は、電気刺激および薬剤送出のうちの少なくとも１つを含む請求項５６に記載の心筋虚血を検出する方法。
【請求項５９】
前記第１信号を取得することは、埋め込み式加速度計からの心臓加速度信号を取得することを含む請求項５６に記載の心筋虚血を検出する方法。
【請求項６０】
心臓に埋め込まれたリード線の先端に取り付けられた加速度計からの前記加速度信号を取得することをさらに含む請求項５９に記載の心筋虚血を検出する方法。
【請求項６１】
心臓（３４）の収縮活動を示す第１信号（１２０、１２１、１２２）を生成する手段と、
心臓（３４）の電気活動を示す第２信号（１３０）を取得する手段と、
前記第１信号（１２０、１２１、１２２）および前記第２信号（１３０）の両方に基づいて心筋虚血を検出する手段と、
を備えたことを特徴とする心筋虚血を検出するシステム。
【請求項６２】
心筋虚血が指示されると、心臓内での前記虚血の作用を軽減する治療送出を制御する手段をさらに備える請求項６１に記載の心筋虚血を検出するシステム。
【請求項６３】
前記治療は、薬剤送出、電気刺激、ならびに薬剤送出および電気刺激の組み合わせのうちの少なくとも１つを含む請求項６１に記載の心筋虚血を検出するシステム。
【請求項６４】
前記第１信号を生成する前記手段は埋め込み式加速度計を含み、前記第１信号は心臓加速度信号である請求項６１に記載の心筋虚血を検出するシステム。
【請求項６５】
前記加速度計は、心臓に埋め込み可能なリード線の先端に結合している請求項６４に記載の心筋虚血を検出するシステム。
【請求項６６】
心臓（３４）の動的機械的活動を示す第１信号（１２０、１２１、１２２）を取得するステップと、
心臓（３４）の電気活動を示す第２信号（１３０）を取得するステップと、
前記第１信号（１２０、１２１、１２２）および前記第２信号（１３０）の両方に基づいて心筋虚血を検出するステップと、
をプロセッサに実行させる命令を含むコンピュータ読み取り可能媒体。
【請求項６７】
コンピュータ読み取り可能媒体であって、
心臓（３４）の収縮活動を示す第１信号（１２０、１２１、１２２）を取得すること、
心臓（３４）の電気活動を示す第２信号（１３０）を取得すること、および、
前記第１信号（１２０、１２１、１２２）および前記第２信号（１３０）の両方に基づいて心筋虚血を検出すること、
をプロセッサにさせる命令を含むコンピュータ読み取り可能媒体。
【請求項６８】
前記加速度計は単一軸または複数軸加速度計である請求項１０、１１、３７、５８、５９または６４に記載の装置、システムまたは方法。
【請求項６９】
前記第１信号を取得することは、心臓内に配置された加速度計からの心臓加速度信号を取得することを含み、前記心臓加速度信号は心内膜ピーク加速度値である請求項１に記載の心筋虚血を検出する方法。
【請求項７０】
コンピュータメモリロケーションに前記心内膜ピーク加速度値を記憶するステップと、
所定の時間間隔後に、少なくとも１つの新しい心内膜ピーク加速度値を取得するステップと、
前記少なくとも１つの新しい心内膜ピーク加速度信号を記憶するステップと、
前記心内膜ピーク加速度値を前記少なくとも１つの新しい心内膜ピーク加速度値と比較するステップと、
をさらに特徴とする請求項６９に記載の心筋虚血を検出する方法。
【国際調査報告】
2005501618.tif 000054
2005501618.tif 000055
2005501618.tif 000056
2005501618.tif 000057